(57)【要約】【課題】容器の抜出を抑制するカップスリーブを提供する。【解決手段】カップスリーブは、本体１１１およびダンパー部２００を備える。本体１１１は、容器１００を収容可能な筒状である。ダンパー部２００は、切出シート２０５と、連結アーム２１１と、を有する。切出シート２０５は、本体１１１の内側に曲がるように、本体１１１と一体に形成され、少なくとも１つの環状シート列を形成し、本体１１１との接続部であるシート接続部を含む。連結アーム２１１は、切出シート２０５と本体１１１とを連結するまた、連結アームは、切出シート２０５が本体１１１の内側に曲がったとき、中央部がシート接続部とは反対側に向かって曲がり、切出シート２０５を内側に曲げる力を与え、中央部が切出シート２０５に接触するように、形成されている。【選択図】図１７
2018052624.tif 000002
【特許請求の範囲】
【請求項１】
本体（１１１）およびダンパー部（２００）を備え、
前記本体（１１１）は、容器（１００）を収容可能な筒状であり、
前記ダンパー部（２００）は、
前記本体（１１１）の内側に曲がるように、前記本体（１１１）と一体に形成され、少なくとも１つの環状シート列を形成し、前記本体（１１１）との接続部であるシート接続部を含み、前記容器（１００）の外側と接触可能な切出シート（２０５）と、
前記切出シート（２０５）に連結している一端である第１根部および前記本体（１１１）に連結している他端である第２根部を含み、前記切出シート（２０５）と前記本体（１１１）とを連結する連結アーム（２１１）と、
を有し、
前記連結アームは、前記切出シート（２０５）が前記本体（１１１）の内側に曲がったとき、中央部が前記シート接続部とは反対側に向かって曲がり、前記切出シート（２０５）を内側に曲げる力を与え、中央部が前記切出シート（２０５）に接触するように、形成されているカップスリーブ。
【請求項２】
複数の前記切出シート（２０５）の形状は、同じ形状である請求項１に記載のカップスリーブ。
【請求項３】
前記本体（１１１）は、紙、プラスチック、アクリル、またはＰＥＴの断熱材料により形成されている請求項１に記載のカップスリーブ。
【請求項４】
前記本体（１１１）は、錐形筒状構造である請求項１に記載のカップスリーブ。
【請求項５】
前記本体（１１１）は、下部口径が上部口径よりも小さくなるように、形成されており、底部（１０２）を有し、前記容器（１００）と接触する請求項４に記載のカップスリーブ。
【請求項６】
前記容器（１００）は、コップ、瓶、または缶を含む請求項１に記載のカップスリーブ。
【請求項７】
前記切出シート（２０５）は、台形シート（２０４）を含む請求項１に記載のカップスリーブ。
【請求項８】
前記切出シート（２０５）は、２つ以上の環状シート列を有する請求項１に記載のカップスリーブ。
【請求項９】
前記環状シート列は、交錯している請求項８に記載のカップスリーブ。
【請求項１０】
前記環状シート列は、前記本体（１１１）の上下方向に対して、揃っている請求項８に記載のカップスリーブ。
【請求項１１】
前記切出シート（２０５）は、２つの環状シート列を有し、
前記連結アームは、それぞれの前記切出シートに連結されている請求項１に記載のカップスリーブ。
【請求項１２】
前記環状シート列は、交錯している請求項１１に記載のカップスリーブ。
【請求項１３】
前記環状シート列は、前記本体（１１１）の上下方向に対して、揃っている請求項１１に記載のカップスリーブ。
【発明の詳細な説明】
【技術分野】
【０００１】
本発明は、カップスリーブに関する。
【背景技術】
【０００２】
従来のカップスリーブは、平行、又は、上側の穴径が比較的に大きく形成され、下側の穴径が比較的小さいく形成されているリング状であり、コップ、瓶又は缶を含む容器に被せる。
【先行技術文献】
【特許文献】
【０００３】
【特許文献１】特願２００７−５５１０３号公報
【発明の概要】
【発明が解決しようとする課題】
【０００４】
また、従来のカップスリーブは、コップ、瓶又は缶を含む容器より直径が大きく形成されており、コップ、瓶又は缶を含む容器に被せると、容器が脱落しやすくなる。
本発明は、上記問題に鑑見てなされたものであり、その目的は容器の抜出を抑制するカップスリーブを提供することにある。
【課題を解決するための手段】
【０００５】
本発明のカップスリーブは、本体（１１１）およびダンパー部（２００）を備える。
本体（１１１）は、容器（１００）を収容可能な筒状である。ダンパー部（２００）は、切出シート（２０５）と、連結アーム（２１１）と、を有する。
切出シート（２０５）は、本体（１１１）の内側に曲がるように、本体（１１１）と一体に形成され、少なくとも１つの環状シート列を形成し、本体（１１１）との接続部であるシート接続部を含み、容器（１００）の外側と接触可能である。
連結アーム（２１１）は、切出シート（２０５）に連結している一端である第１根部および本体（１１１）に連結している他端である第２根部を含み、切出シート（２０５）と本体（１１１）とを連結する。
また、連結アームは、切出シート（２０５）が本体（１１１）の内側に曲がったとき、中央部がシート接続部とは反対側に向かって曲がり、切出シート（２０５）を内側に曲げる力を与え、中央部が切出シート（２０５）に接触するように、形成されている。
これにより、コップ、瓶または缶を含む容器を収容するとき、ダンパー部（２００）のシートにより容器の抜出を抑制し、容器と本体との間の隙間により断熱効果を高めることができる。
【図面の簡単な説明】
【０００６】
【図１】本発明の第一実施形態によるカップスリーブを示す模式図。
【図２】本発明の第一実施形態によるカップスリーブを示す模式図。
【図３】本発明の第二実施形態によるカップスリーブを示す模式図。
【図４】本発明の第二実施形態によるカップスリーブを示す模式図。
【図５】本発明の第三実施形態によるカップスリーブを示す模式図。
【図６】本発明の第三実施形態によるカップスリーブを示す模式図。
【図７】本発明の第四実施形態によるカップスリーブを示す模式図。
【図８】本発明の第四実施形態によるカップスリーブを示す模式図。
【図９】本発明の第五実施形態によるカップスリーブを示す模式図。
【図１０】本発明の第五実施形態によるカップスリーブを示す模式図。
【図１１】本発明の第六実施形態によるカップスリーブを示す模式図。
【図１２】本発明の第六実施形態によるカップスリーブを示す模式図。
【図１３】本発明の第七実施形態によるカップスリーブを示す模式図。
【図１４】本発明の第七実施形態によるカップスリーブを示す模式図。
【図１５】本発明の第八実施形態によるカップスリーブを示す模式図。
【図１６】本発明の第八実施形態によるカップスリーブの要部拡大図。
【図１７】本発明の第八実施形態によるカップスリーブを示す要部断面図である。
【図１８】本発明の第九実施形態によるカップスリーブを示す模式図である。
【図１９】本発明の第十実施形態によるカップスリーブを示す模式図である。
【図２０】本発明の第十実施形態によるカップスリーブを示す模式図である。
【図２１】本発明の第十一実施形態によるカップスリーブを示す模式図である。
【図２２】本発明の第十二実施形態によるカップスリーブを示す模式図である。
【図２３】本発明の第十三実施形態によるカップスリーブを示す模式図である。
【図２４】本発明の第十四実施形態によるカップスリーブを示す模式図である。
【図２５】本発明の第十五実施形態によるカップスリーブを示す模式図である。
【図２６】本発明の第十六実施形態によるカップスリーブを示す模式図である。
【発明を実施するための形態】
【０００７】
本発明の実施形態を図面に基づいて説明する。
（第一実施形態）
本発明の第一実施形態によるカップスリーブを図１、２に示す。
本実施形態のカップスリーブのエッジフレーム又はカップ本体の内側の両方、又はいずれか一方は、１つ又は１つの環以上の環列状を備え、また内部に湾入するダンパー部であり、上述したカップスリーブをコップ、瓶又は缶を含む容器に被せるとき、ダンパー部を通して、防滑ダンパーのアンチルーズを高めることにより、カップスリーブをコップ、瓶又は缶を含む容器から離脱しにくいようにして、および、ダンパー部を通して、カップカップスリーブとコップ、瓶又は缶を含む容器の隙間を広げることにより、断熱効果を高める。
【０００８】
上述したダンパー部は、カップスリーブのエッジフレーム又はカップ本体の内側の両方又はいずれか一方を１つ又は１つの環以上の環列状に作り、被せる方向から逆方向に下湾する折シワ状ダンパー構造、鋸歯状ダンパー構造、波状ダンパー構造、台形状ダンパー構造の中の一種又は一種以上の組み合わせにより構成されることを含む。
【０００９】
本発明の容器（１００）は、円形、円形に近い形状、又は多角形の筒状容器を指す。平行、非平行、又は錐形構造のコップ、瓶又は缶を含む容器を含む。その中の片側にある底部（１０２）は、開口部（１０１）と平行し、かつ同じサイズである。又は他側は開口部（１０１）であり、或いは開くことができる開口部（１０１）であり、底部と平行し、かつ同じサイズであり、又は外径は比較的小さく或いは外径は比較的大きい構造である。外径が比較的小さく又は外径は比較的大きい構造は、流体、粉体、顆粒状物体、又はコロイド体を装填するコップ、瓶又は缶を含む容器である。
【００１０】
図１に示すように、本発明はダンパーシート（２０１）により構成され、本体（１１１）のダンパー部（２００）の展開模式図である。
【００１１】
図２に示すように、開口部（１０１）が上に向かうコップ形容器と図１の本体（１１１）の結合状態を示す断面模式図である。
図１と図２に示すように、その主な構造は次の通りである。
【００１２】
本体（１１１）は、紙、プラスチック、アクリル、ＰＥＴなどの断熱材料により構成され、またコップ、瓶又は缶を含む容器（１００）の幾何形状と大きさを許容できる平行筒状構造、又は上部口径が比較的大きく、下部口径が比較的小さい錐形筒状構造を備え、カップスリーブの辺側又は内部の両方又はいずれか一方を１つ又は１つの環以上の環列状の内部に湾入するダンパー部（２００）に作る。
【００１３】
上述したダンパー部（２００）は、カップスリーブの辺側又は内部の両方又はいずれか一方を１つ又は１つの環以上の環列状が被せる方向から逆方向に下湾するダンパーシート（２０１）に作り、又はシワ付シート（２０２）、波状シート（２０３）、又は台形シート（２０４）の中の一種又は一種以上の組み合わせにより構成されることを含む。
【００１４】
上述した本体（１１１）をコップ、瓶又は缶を含む容器に被せるとき、ダンパー部（２００）を通して、アンチルーズの防滑ダンパーを提供することにより、カップスリーブはコップ、瓶又は缶を含む容器から離脱しにくいようにして、およびダンパー部を通して、カップカップスリーブとコップ、瓶又は缶を含む容器の隙間を広げることにより、断熱効果を高める。
【００１５】
上述した本体（１１１）をコップ、瓶又は缶を含む容器（１００）に重ね合わせ、図２に開口部（１０１）が上に向かう容器と本発明本体（１１１）の結合状態を示す断面模式図である。
本実施形態の本体（１１１）の各種ダンパー部（２００）の構造例の説明は、下記の通りである。
【００１６】
（第二実施形態）
本発明の第二実施形態によるカップスリーブを図３、４に示す。
図３は、シワ付シート（２０２）により本体（１１１）を構成する実施形態のダンパー部（２００）を示す展開模式図である。
図４は開口部（１０１）が上に向かう容器と図３の本体（１１１）の結合状態を示す断面模式図である。
【００１７】
図３と図４に示すように、その主な構造は、本体（１１１）本体と一体構造である本体（１１１）および内側に曲げる１つ又は１つの環以上の環列状のダンパーシート（２０１）を構成する。又は別の摩擦材料により内側に曲げるダンパーシート（２０１）を構成し、かつ１つ又は１つの環以上の環列状を接合、釘接合、縫い合わせ、係合、又は本体（１１１）の辺側又は内部の両方又はいずれか一方に重ね合わせることにより、コップ、瓶又は缶を含む容器（１００）に組み合わせた後の防滑ダンパーおよび断熱空間を提供する。
【００１８】
（第三実施形態）
本発明の第三実施形態によるカップスリーブを図５、６に示す。
図５は、波状シート（２０３）により本体（１１１）を構成する実施形態のダンパー部（２００）を示す展開模式図である。
図６は開口部（１０１）が上に向かう容器と図５の本体（１１１）の結合状態を示す模式図である。
【００１９】
図５と図６に示すように、その主な構造は、本体（１１１）本体と一体構造である内側に曲げる１つ又は１つの環以上の環列状のシワ付シート（２０２）を構成する。又は別の摩擦材料により内側に曲げるシワ付シート（２０２）を構成し、かつ１つ又は１つの環以上の環列状を接合、釘接合、縫い合わせ、係合、又は本体（１１１）の辺側又は内部両方又はいずれか一方に重ね合わせることにより、コップ、瓶又は缶を含む容器（１００）に組み合わせた後の防滑ダンパーおよび断熱空間を提供する。
【００２０】
（第四実施形態）
本発明の第四実施形態によるカップスリーブを図７、８に示す。
図７は、台形シート（２０４）により本体（１１１）を構成する実施形態のダンパー部（２００）を示す展開模式図である。
図８は開口部（１０１）が上に向かう容器と図７の本体（１１１）の結合状態を示す断面模式図である。
【００２１】
図７と図８に示すように、その主な構造は、本体（１１１）本体と一体構造である内側に曲げることにより環列状の台形シート（２０４）を構成する。又は別の摩擦材料により内側に曲げる台形シート（２０４）を構成し、かつ１つの環の環列状を接合、釘接合、縫い合わせ、係合、又は本体（１１１）の辺側に重ね合わせることにより、コップ、瓶又は缶を含む容器（１００）に組み合わせた後の防滑ダンパーおよび断熱空間を提供する。
【００２２】
本実施形態の本体（１１１）を更に一歩進ませ、カップスリーブの内側に切出シート（２０５）を構成する本体（１１１）のダンパー部（２００）を設置する。
【００２３】
（第五実施形態）
本発明の第五実施形態によるカップスリーブを図９、１０に示す。
図９は、カップスリーブの周りに環設する切出シート（２０５）により本体（１１１）を構成する実施形態のダンパー部（２００）を示す展開模式図である。
図１０は開口部（１０１）が上に向かう容器と図９の本体（１１１）の結合状態を示す断面模式図である。
【００２４】
図９と図１０に示すように、その主な構造は、本体（１１１）本体の周りの一体構造により１つの環を環設する切出シート（２０５）を作る。又は別の摩擦材料により内側に曲げる内壁付シート（２０６）（図２１参照）を構成し、かつ１つの環の環列状を接合、釘接合、縫い合わせ、係合、又は本体（１１１）の内部の周りに重ね合わせることにより、コップ、瓶又は缶を含む容器（１００）に組み合わせた後の防滑ダンパーおよび断熱空間を提供する。
【００２５】
上述したダンパーシート（２０１）又は内壁付シート（２０６）の形状は、波状又は台形である。
上述した同一環の各切出シート（２０５）又は内壁付シート（２０６）の形状は同じ形状又は違う形状である。
【００２６】
（第六実施形態）
本発明の第六実施形態によるカップスリーブを図１１、１２に示す。
図１１は、カップスリーブの周りの２つ又は２つの環以上の多環を交錯させて環設する切出シート（２０５）により、本体（１１１）の多環を環設するダンパー部（２００）を構成する実施形態を示す展開模式図である。
図１２は開口部（１０１）が上に向かう容器と図１１の本体（１１１）の結合状態を示す断面模式図である。
【００２７】
図１１と図１２に示すように、その主な構造は、本体（１１１）本体の周りの一体構造により２つ又は２つの環以上の多環を環設する切出シート（２０５）を作る。又は別の摩擦材料により内壁付シート（２０６、２０７）（図２２参照）を構成し、かつ２つ又は２つの環以上の多環を交錯させた環列状を接合、釘接合、縫い合わせ、係合、又は本体（１１１）内部の周りに重ね合わせすることにより、コップ、瓶又は缶を含む容器（１００）に組み合わせた後の防滑ダンパーおよび断熱空間を提供する。
上述したダンパーシート（２０１）の形状は、波状又は台形である。
【００２８】
上述した同一環又は別の環の各切出シート（２０５）又は内壁付シート（２０６、２０７）の形状は、同じ形状又は違う形状である。
【００２９】
上述した別の環の切出シート（２０５）又は内壁付シート（２０６、２０７）は、同じ数量又は違う数量にすることができる。
【００３０】
（第七実施形態）
本発明の第七実施形態によるカップスリーブを図１３、１４に示す。
図１３は、カップスリーブの周りの２つ又は２つの環以上のマトリックス型多環を環設する切出シート（２０５）により、本体（１１１）の多環を環設するダンパー部（２００）を構成する実施形態展開模式図である。
図１４は円筒形容器と図１３のカップスリーブの結合状態を示す断面模式図である。
【００３１】
図１３と図１４に示すように、その主な構造は、本体（１１１）本体の周りの一体構造により２つ又は２つの環以上のマトリックス型多環を環設する切出シート（２０５）を作る。又は別の摩擦材料により内壁付シート（２０６、２０７）（図２２参照）を構成し、かつ２つ又は２つの環以上のマトリックス型多環の環列状を接合、釘接合、縫い合わせ、係合、又は本体（１１１）内部の周りに重ね合わせることにより、コップ、瓶又は缶を含む容器（１００）に組み合わせた後の防滑ダンパーおよび断熱空間を提供する。
【００３２】
上述した切出シート（２０５）又は内壁付シート（２０６、２０７）の形状は、波状又は台形である。
【００３３】
上述した同一環又は別の環の各切出シート（２０５）又は内壁付シート（２０６、２０７）の形状は、同じ形状又は違う形状である。
【００３４】
上述した別の環の切出シート（２０５）又は内壁付シート（２０６、２０７）は、同じ数量又は違う数量にすることができる。
【００３５】
本実施形態のカップスリーブのダンパー部（２００）を更に一歩進ませ、切出シート（２０５）と本体（１１１）を連結する根部の中央部を外部に曲げることにより、ダンパー部（２００）の内部に曲げる連結アーム（２１１）を推進するように作ることにより、切出シート（２０５）に対して内側に曲げる予力を与え、切出シート（２０５）がコップ、瓶又は缶を含む容器（１００）に対する逆方向の摩擦ダンパーを強化する。
【００３６】
（第八実施形態）
本発明の第八実施形態によるカップスリーブを図１５、１６に示す。
図１５は図９実施形態のカップスリーブの周りに環設する切出シート（２０５）を更に一歩進ませ、内部に曲げる連結アーム（２１１）を備える展開模式図である。
図１６は図１５の立体構造の断面図である。
【００３７】
図１５と図１６に示すように、その主な構造は、本体（１１１）本体の周りの一体構造により１つの環を環設する切出シート（２０５）を作る。又は別の摩擦材料により内壁付シート（２０６）（図２１参照）を構成し、かつ１つの環の環列状を接合、釘接合、縫い合わせ、係合、又は本体（１１１）内部の周りに重ね合わせることにより、コップ、瓶又は缶を含む容器（１００）に組み合わせた後の防滑ダンパーおよび断熱空間を提供する。
【００３８】
上述した切出シート（２０５）又は内壁付シート（２０６）の形状は、波状又は台形である。
【００３９】
上述した同一環の各切出シート（２０５）又は内壁付シート（２０６）の形状は、同じ形状又は違う形状である。
図１７は図１５とカップ本体を重ね合わせる模式図である。
【００４０】
（第九実施形態）
本発明の第九実施形態によるカップスリーブを図１８に示す。
図１８はカップスリーブの周りの２つ又は２つの環以上の多環を交錯させて環設する切出シート（２０５）を更に一歩進ませ、内部に曲げる連結アーム（２１１）を備える展開模式図である。
【００４１】
図１８に示すように、その主な構造は、本体（１１１）本体の周りの一体構造により２つ又は２つの環以上の多環を環設する切出シート（２０５）を作る。又は別の摩擦材料により内壁付シート（２０６、２０７）（図２２参照）を構成し、かつ２つ又は２つの環以上の多環の環列状を接合、釘接合、縫い合わせ、係合、又は本体（１１１）内部の周りに重ね合わせることにより、コップ、瓶又は缶を含む容器（１００）に組み合わせた後の防滑ダンパーおよび断熱空間を提供する。
【００４２】
上述した切出シート（２０５）又は内壁付シート（２０６、２０７）の形状は、波状又は台形である。
【００４３】
上述した同一環の各切出シート（２０５）又は内壁付シート（２０６、２０７）の形状は、同じ形状又は違う形状である。
【００４４】
上述した別の環の切出シート（２０５）又は内壁付シート（２０６、２０７）は、同じ数量又は違う数量にすることができる。
【００４５】
（第十実施形態）
本発明の第十実施形態によるカップスリーブを図１９に示す。
図１９はカップスリーブの周りの２つ又は２つの環以上のマトリックス型多環を環設する切出シート（２０５）を更に一歩進ませ、内部に曲げる連結アーム（２１１）を備える展開模式図である。
【００４６】
図１９に示すように、その主な構造は、本体（１１１）本体の周りの一体構造により多環を環設する切出シート（２０５）を作る。又は別の摩擦材料により内壁付シート（２０６、２０７）（図２２参照）を構成し、かつ２つ又は２つの環以上のマトリックス式多環の環列状を接合、釘接合、縫い合わせ、係合、又は本体（１１１）内部の周りに重ね合わせることにより、コップ、瓶又は缶を含む容器（１００）に組み合わせた後の防滑ダンパーおよび断熱空間を提供する。
【００４７】
上述した切出シート（２０５）又は内壁付シート（２０６、２０７）の形状は、波状又は台形である。
【００４８】
上述した同一環の各切出シート（２０５）又は内壁付シート（２０６、２０７）の形状は、同じ形状又は違う形状である。
【００４９】
上述した別の環の切出シート（２０５）又は内壁付シート（２０６、２０７）は、同じ数量又は違う数量にすることができる。
図２０は本体（１１１）を積み重ねた状態である。
【００５０】
図２０に示すように、本体（１１１）の両側を接合、釘接合、又は係合後の本体（１１１）は円環状であり、かつ加圧され積層状態にすることにより、積み重ねやすく、また使用時に円環状に広げる。
【００５１】
（第十一実施形態）
本発明の第十一実施形態によるカップスリーブを図２１に示す。
図２１に示す本体（１１１）は、カップスリーブ内部で更に１つの環の内側に内壁付シート（２０６）と結合することにより、密閉環状を形成するダンパー部（２００）の模式図である。
【００５２】
図２１に示すように、その構成方式はカップスリーブ内部で更に内壁付シート（２０６）と結合することにより、本体（１１１）のカップスリーブ内部に係合、接合、又は釘接合する。
【００５３】
（第十二実施形態）
本発明の第十二実施形態によるカップスリーブを図２２に示す。
図２２に示す本体（１１１）は、カップスリーブ内部で更に内壁付シート（２０６）の密閉環状を形成するダンパー部（２００）と結合し、および少なくとも１個の内壁付シート（２０７）の密閉環状を形成するダンパー部（２００）により構成される模式図である。
【００５４】
図２２に示すように、その構成方式はカップスリーブ内部更に結合を備え内壁付シート（２０６）、および少なくとも１個の内壁付シート（２０７）を備え、本体（１１１）のカップスリーブ内部に係合、接合、又は釘接合する。
【００５５】
（第十三実施形態）
本発明の第十三実施形態によるカップスリーブを図２３に示す。
図２３に示す本体（１１１）エッジフレームの片側は、外壁付シート（２０８）と結合することにより、ダンパー部（２００）を構成する断面模式図である。
図２３に示すように、その主な構成は次の通りである。
【００５６】
∩字状断面の外壁付シート（２０８）を本体（１１１）の片側にあるエッジフレームに設置し、その外部を通して、本体（１１１）のエッジフレームに係合、接合、又は釘接合し、その内部は外壁付シート（２０８）を備え、ダンパー部（２００）を構成することにより、逆方向ダンパーを形成する。
【００５７】
（第十四実施形態）
本発明の第十四実施形態によるカップスリーブを図２４に示す。
図２４に示す本体（１１１）エッジフレームの両側は、外壁付シート（２０８、２０９）と結合することにより、ダンパー部（２００）を構成する断面模式図である。
図２４に示すように、その主な構成は次の通りである。
【００５８】
∩字状断面の外壁付シート（２０８）、供に設置される本体（１１１）の片側にあるエッジフレームに設置し、その外部を通して、本体（１１１）のエッジフレームに係合、接合、又は釘接合し、その内部は切出シート（２０５）を備えることにより、逆方向ダンパーを形成する。他側の∩字状断面の外壁付シート（２０９）を本体（１１１）の他側にあるエッジフレームに設置し、その外部を通して、本体（１１１）のエッジフレームに係合、接合、又は釘接合し、その内部は外壁付シート（２０９）を備えることにより、先ず内部に曲げるから更に外部に曲げるように繰り返すことにより、両側の外壁付シート（２０８、２０９）によりダンパー部（２００）を構成し、逆方向ダンパーの方向を一致させる。
【００５９】
（第十五実施形態）
本発明の第十五実施形態によるカップスリーブを図２５に示す。
図２５に示す本体（１１１）およびその片側にある一体型シートダンパーシート（２１８）により構成されるダンパー部（２００）の一体構造を示す模式図である。
【００６０】
図２５に示すように、その主な構成は、本体（１１１）およびその片側にある一体型シート（２１８）により構成されるダンパー部（２００）の一体構造である。
【００６１】
（第十六実施形態）
本発明の第十六実施形態によるカップスリーブを図２６に示す。
図２６に示す本体（１１１）およびその両側にある一体型シート（２１８、２１９）により構成されるダンパー部（２００）の一体構造を示す断面模式図である。
【００６２】
図２６に示すように、その主な構成は、本体（１１１）およびその２つの辺側にある一体型シート（２１８、２１９）により構成されるダンパー部（２００）の一体構造は、同じ材料である。その中の片側にある一体型シート（２１８）は、辺側から内部に曲げ、一つの弾性を持つ斜角を形成する。他側の一体型シート（２１９）は、先ず内部に曲げるから更に外部に曲げるように繰り返すことにより、両側の一体型シート（２１８、２１９）によりダンパー部（２００）を構成し、逆方向ダンパーの方向を一致させる。
【００６３】
上述した各ダンパー部（２００）の実施形態は、順方向にコップ、瓶又は缶を含む容器（１００）に被せ、および被せた後逆方向に摩擦ダンパーを強化する構造の説明を制限するものではなく、本発明の創作原理を引用し、同じ機能の幾何構造を類推することができる。
【符号の説明】
【００６４】
１００：容器、
１０１：開口部、
１０２：底部、
１１１：本体、
２００：ダンパー部、
２０１：ダンパーシート、
２０２：シワ付シート、
２０３：波状シート、
２０４：台形シート、
２０５：切出シート、
２０６、２０７：内壁付シート、
２０８、２０９：外壁付シート、
２１１：連結アーム、
２１８、２１９：一体型シート。
【図１】
2018052624.tif 000003
【図２】
2018052624.tif 000004
【図３】
2018052624.tif 000005
【図４】
2018052624.tif 000006
【図５】
2018052624.tif 000007
【図６】
2018052624.tif 000008
【図７】
2018052624.tif 000009
【図８】
2018052624.tif 000010
【図９】
2018052624.tif 000011
【図１０】
2018052624.tif 000012
【図１１】
2018052624.tif 000013
【図１２】
2018052624.tif 000014
【図１３】
2018052624.tif 000015
【図１４】
2018052624.tif 000016
【図１５】
2018052624.tif 000017
【図１６】
2018052624.tif 000018
【図１７】
2018052624.tif 000019
【図１８】
2018052624.tif 000020
【図１９】
2018052624.tif 000021
【図２０】
2018052624.tif 000022
【図２１】
2018052624.tif 000023
【図２２】
2018052624.tif 000024
【図２３】
2018052624.tif 000025
【図２４】
2018052624.tif 000026
【図２５】
2018052624.tif 000027
【図２６】
2018052624.tif 000028